(57)【要約】【課題】配線や端子台等に接触して作業しても安全上問題のない時間を使用者に知らせることができるようにしたインバータ装置を提供する。【解決手段】一実施形態は、交流電源を整流し主電源線間に出力する電源整流回路と、電源整流回路の整流出力を平滑化する主回路コンデンサと、主回路コンデンサの出力を電源入力するインバータ主回路と、電源遮断された以降に主回路コンデンサの端子間電圧を測定し、予め定められた放電時定数、又は、電源遮断後に測定された複数の電圧値に基づき算出される放電時定数、に応じて、測定された端子間電圧が予め設定された所定電圧に達するまでの時間を算出する演算部と、演算部により算出された時間を表示する表示部と、を含む。【選択図】図１
2018050395.tif 000002
【特許請求の範囲】
【請求項１】
交流電源を整流し主電源線間に出力する電源整流回路と、
前記電源整流回路の整流出力を平滑化する主回路コンデンサと、
前記主回路コンデンサの出力を電源入力するインバータ主回路と、
電源遮断された以降に前記主回路コンデンサの端子間電圧を測定し、予め定められた放電時定数、又は、電源遮断後に測定された複数の電圧値に基づき算出される放電時定数、に応じて、前記測定された端子間電圧が予め設定された所定電圧に達するまでの時間を算出する演算部と、
前記演算部により算出された時間を表示する表示部と、
を備えるインバータ装置。
【請求項２】
前記演算部は、前記主回路コンデンサの端子間電圧を繰り返し測定し、前記放電時定数に応じて、前記繰り返し測定された端子間電圧が所定電圧に達するまでの時間を繰り返し算出し、
前記表示部は、前記演算部により算出された時間を繰り返し表示更新する請求項１記載のインバータ装置。
【請求項３】
前記表示部は、前記主回路コンデンサの端子間電圧と前記演算部により算出された時間とを交互又は選択して表示する請求項１記載のインバータ装置。
【請求項４】
前記演算部が、電源遮断後に測定された複数の電圧値に基づき放電時定数を算出する場合には、
前記放電時定数が予め設定された所定の時定数よりも小さくなったときに、前記表示部は、前記主回路コンデンサが異常である旨を表示する請求項１から３の何れか一項に記載のインバータ装置。
【請求項５】
予め定められた放電時定数を不揮発的に記憶する記憶部を備え、
前記演算部が、電源遮断後に測定された複数の電圧値に基づき放電時定数を算出する場合には、
当該放電時定数が算出される前には、前記演算部は前記記憶部により記憶された放電時定数を用いて端子間電圧が所定電圧に達するまでの時間を算出し、前記表示部はこの時間を表示する請求項１から４の何れか一項に記載のインバータ装置。
【請求項６】
今回の電源遮断時より前の前回又はそれ以前に算出された放電時定数を不揮発的に記憶する記憶部を備え、
前記演算部が、電源遮断後に測定された複数の電圧値に基づき放電時定数を算出する場合には、
当該放電時定数が算出される前には、前記演算部は前記記憶部により記憶された放電時定数を用いて端子間電圧が所定電圧に達するまでの時間を算出し、前記表示部はこの時間を表示する請求項１から４の何れか一項に記載のインバータ装置。
【発明の詳細な説明】
【技術分野】
【０００１】
本発明の実施形態は、インバータ装置に関する。
【背景技術】
【０００２】
インバータ装置は、交流電源を整流、平滑化して直流電圧を生成し、当該直流電圧をインバータ主回路に供給してインバータ主回路を駆動する。ここで、直流電圧を平滑するための主回路コンデンサとしてアルミ電解コンデンサなどの大容量コンデンサを使用する。直流電力は電源を遮断後も主回路コンデンサに残留している。このため、主回路コンデンサに直流電力が蓄積した状態でインバータ装置に接触すると感電事故の虞がある。この主回路コンデンサの蓄積電荷を放電するため、主回路コンデンサと並列に放電用の抵抗を接続し、電源遮断時の放電時間を短縮する方法が一般に用いられる。一般に、安全上の観点から、使用者が配線や端子台に接触して作業するためには、電源遮断した後、主回路コンデンサに蓄積された電荷の放電処理を待機する必要がある。
【０００３】
しかしながら、主回路コンデンサの容量値はインバータ容量に応じて異なるため、放電時間は一律に定められるものではない。このため、安全上、最も放電時間が長いインバータ容量に対応した放電時間を定め、この放電時間だけ待機するように使用者に推奨している。このため、使用者は比較的短時間で放電するインバータ容量のインバータ装置を使用していたとしても、配線や端子台等に接触して作業するには一定の時間だけ待機しなければならない。なお、本願の関連技術が特許文献１、２に開示されている。例えば、特許文献１記載の技術によれば、平滑用の電解コンデンサの余命寿命を表示させることができる。
【先行技術文献】
【特許文献】
【０００４】
【特許文献１】特開２００７−２８８９５５号公報
【特許文献２】特開平７−１６３０４５号公報
【発明の概要】
【発明が解決しようとする課題】
【０００５】
配線や端子台等に接触して作業しても安全上問題のない時間を使用者に知らせることができるようにしたインバータ装置を提供する。
【課題を解決するための手段】
【０００６】
一実施形態は、交流電源を整流し主電源線間に出力する電源整流回路と、電源整流回路の整流出力を平滑化する主回路コンデンサと、主回路コンデンサの出力を電源入力するインバータ主回路と、電源遮断された以降に前記主回路コンデンサの端子間電圧を測定し、予め定められた放電時定数、又は、電源遮断後に測定された複数の電圧値に基づき算出される放電時定数、に応じて、測定された端子間電圧が予め設定された所定電圧に達するまでの時間を算出する演算部と、演算部により算出された時間を表示する表示部と、を含む。
【図面の簡単な説明】
【０００７】
【図１】第１の実施形態について概略的に示すインバータ装置の電気的構成図
【図２】処理を概略的に示すフローチャート
【図３】主回路コンデンサの端子間電圧の変化を示す図
【図４】表示態様例
【図５】第２の実施形態における処理を概略的に示すフローチャート
【図６】表示態様例
【図７】第３の実施形態における処理を概略的に示すフローチャート
【図８】表示態様例（その１）
【図９】表示態様例（その２）
【図１０】第４の実施形態における処理を概略的に示すフローチャート
【図１１】主回路コンデンサの端子間電圧の変化を示す図
【図１２】表示態様例（その１）
【図１３】表示態様例（その２）
【図１４】表示態様例（その３）
【図１５】表示態様例（その４）
【図１６】第５の実施形態における処理を概略的に示すフローチャート
【図１７】表示態様例
【図１８】第６の実施形態における処理を概略的に示すフローチャート
【図１９】表示態様例
【発明を実施するための形態】
【０００８】
以下、インバータ装置の幾つかの実施形態について図面を参照しながら説明する。
（第１の実施形態）
第１の実施形態について図１から図４を参照して説明する。図１に示すように、インバータ装置１は、例えば三相交流電源２をスイッチ３を通じて入力する端子Ｒ,Ｓ,Ｔを備え、端子Ｒ，Ｓ，Ｔには電源整流回路４が接続されている。
【０００９】
電源整流回路４は、端子Ｒ，Ｓ，Ｔに入力された三相交流電源２の交流電源を入力し整流する。この電源整流回路４の出力は主電源線Ｎ１およびＮ２に与えられている。この主電源線Ｎ１およびＮ２間には主回路コンデンサＣが接続されている。主回路コンデンサＣは電源整流回路４の整流出力を平滑化し直流電力（直流電圧）を出力する。この直流電力はＤＣＤＣコンバータ（図示せず）を通じて制御回路５及び表示器（表示部相当）６に与えられている。また主回路コンデンサＣが平滑化した直流電力はインバータ主回路７に与えられている。インバータ主回路７は、例えばＩＧＢＴなどのトランジスタを３相ブリッジ接続して構成され、入力した直流電力について制御回路５が出力するＰＷＭ制御信号に基づいて交流変換し三相交流電力をモータ８に供給する。
【００１０】
また、主電源線Ｎ１およびＮ２間には放電回路となる放電抵抗ＲＬが接続されている。放電抵抗ＲＬは主回路コンデンサＣの蓄積電荷を放電するように設けられている。
制御回路５は、Ａ／Ｄ変換器９、演算部１０、及び、揮発性及び不揮発性のメモリ１１を備える。Ａ／Ｄ変換器９は、主電源線Ｎ１およびＮ２間の端子間電圧Ｖｄｃを入力し、Ａ／Ｄ変換処理して演算部１０に出力する。演算部１０は、必要に応じてメモリ１１に記憶されている内容を参照しながら、メモリ１１に予め記憶されたプログラムに基づいてこのＡ／Ｄ変換器９の処理結果を算出する。これにより演算部１０は端子間電圧Ｖｄｃを測定できる。制御回路５は、この処理結果を表示器６に表示制御可能になっている。表示器６は、例えば７セグメントＬＥＤ、液晶表示器（ＬＣＤ）などの表示部であり、１行又は複数行にわたる情報を表示可能になっている。
【００１１】
端子Ｒ，Ｓ，Ｔは端子台に搭載されており、使用者はインバータ装置１の端子Ｒ，Ｓ，Ｔにスイッチ３を介して配線を三相交流電源２に接続し、モータ８を配線により端子Ｕ，Ｖ，Ｗに接続することでインバータ装置１を運転可能にできる。
【００１２】
前述構成の作用について説明する。図２は処理内容を概略的に示すフローチャートであり、図３は主回路コンデンサの端子間電圧の時間的変化を示している。
使用者がスイッチ３を操作し電源をオンすると、三相交流電源２から例えば交流実効値４００Ｖの三相交流電源がインバータ装置１に入力される。電源整流回路４は主電源線Ｎ１およびＮ２間に整流出力し、主回路コンデンサＣはこの整流出力を平滑化し直流電力をインバータ主回路７に出力する。制御回路５はＰＷＭ制御信号を出力することでインバータ主回路７を駆動しモータ８を回転させる。この状態では、主電源線Ｎ１およびＮ２間の主回路コンデンサＣの端子間電圧Ｖｄｃは高い通常動作電圧（例えば５５０〜６００Ｖ）に保たれる。
【００１３】
制御回路５のＡ／Ｄ変換器９は通常動作中において主回路コンデンサＣの端子間電圧Ｖｄｃを読取り、演算部１０は、この端子間電圧Ｖｄｃが前述の通常動作電圧より低く予め設定された電源遮断判定電圧Ｖａ（例えば５２０Ｖ）以下となったか否かを判定する。これにより、使用者によるスイッチ３の操作により電源遮断指示されたか否かを判定できる。すなわち、図３に示すように時刻Ｔ０の時点で使用者によりスイッチ３がオフされた後、端子間電圧Ｖｄｃが所定の電源遮断判定電圧Ｖａ以下の時点とされた時刻Ｔａにおいて電源遮断指示されたことを判断できる。
【００１４】
電源遮断後においても、主回路コンデンサＣの端子間電圧Ｖｄｃに基づく電源電圧は制御回路５や表示器６に供給されており、この場合、制御回路５及び表示器６は通常動作する。このため、図２に示すように、電源遮断の判断時刻Ｔａの後においても、演算部１０は、Ａ／Ｄ変換器９を用いて主回路コンデンサＣの端子間電圧Ｖｄｃを電圧Ｖａ１として読取ることができる（図２のＳ１）。判断時刻Ｔａ以降において、演算部１０は、この電圧Ｖａ１に応じて推定待ち時間Ｔｔｈを算出する（図２のＳ２）。演算部１０は、推定待ち時間Ｔｔｈを下記の（１）式に応じて算出すると良い。
【００１５】
Ｔｔｈ  ＝  τ  ・  ｛ｌｎ（Ｖａ１／Ｖｔｈ）｝  …（１）
ここで、τは放電時定数を表すもので不揮発性のメモリ１１に予め記憶されている。このτの値は、放電抵抗ＲＬのインピーダンスの標準値、及び、前述したＤＣＤＣコンバータ、制御回路５、表示器６等の負荷回路の標準的な消費電力に応じて決定されるもので、インバータ装置１の設計時又は製造検査時に予め決定される値となっている。
【００１６】
また、所定電圧Ｖｔｈは予め設定された電圧であり、例えば５０Ｖ又は６０Ｖに設定される。この所定電圧Ｖｔｈは使用者が配線や端子台等に接触して作業しても安全上問題ないと考えられる値に設定されている。演算部１０は、推定待ち時間Ｔｔｈを算出すると、表示器６はこの算出された推定待ち時間Ｔｔｈを表示する（図２のＳ３）。
【００１７】
例えば、所定電圧Ｖｔｈが６０Ｖに設定されている場合には次のように動作する。図３に示すように、時刻Ｔ０（＝５０ｓｅｃ）においてスイッチ３がオフされることにより電源遮断され、その後、時刻Ｔａ（＝６０ｓｅｃ）において電圧Ｖａ１（＝５１０Ｖ）を測定し、この電圧Ｖａ１と予めメモリ１１に記憶されている放電時定数τ（＝１００ｓｅｃ）とを用いて（１）式により推定待ち時間Ｔｔｈ（＝２１４ｓｅｃ）を算出し、この時刻Ｔａ（＝６０ｓｅｃ）の時点で表示器６が推定待ち時間２１４ｓｅｃであることを表示する。図４はこの表示態様例を示している。これにより、使用者は時刻Ｔａ（＝６０ｓｅｃ）の時点において、２１４ｓｅｃ待機すれば良いということを明確に理解できる。
【００１８】
本実施形態によれば、演算部１０が予め定められた放電時定数τに応じて、測定された端子間電圧Ｖｄｃが予め設定された所定電圧Ｖｔｈに達するまでの時間を算出し、表示器６がこの算出された時間を表示するようにした。この結果、配線や端子台等に接触して作業しても安全上問題のない時間を使用者に知らせることができる。これにより作業者の無駄な待機時間を短縮できる。
【００１９】
（第２の実施形態）
図５及び図６は第２の実施形態の追加説明図を示す。図５に示すように、ステップＳ１〜Ｓ３の処理を繰り返し行うようにしても良い。表示器６が図５のステップＳ１〜Ｓ３において推定待ち時間Ｔｔｈを表示した後、演算部１０は図５のステップＳ４において内蔵したタイマにより測定を開始し、このタイマによる測定時間が所定時間に達したか否かを判定し（図５のＳ５）、所定時間（例えば１０ｓｅｃ）経過したことを条件として図５のステップＳ１〜Ｓ３の処理を繰り返すようにしても良い。すると、図６に示すように、表示器６は推定待ち時間Ｔｔｈを繰り返し表示更新することができる。
【００２０】
また、測定電圧Ｖａ１が使用者による処置可能な所定電圧Ｖｔｈ（例えば６０Ｖ）以下の電圧に低下したときに、表示器６が推定待ち時間Ｔｔｈとして０ｓｅｃを表示更新するが、その後、制御回路５及び表示器６には自然に電源供給されなくなり、これにより制御回路５、表示器６は動作を停止し、表示器６はその表示画面を消灯する。なお、表示器６が０ｓｅｃを表示する前に消灯するようになっていても良い。
【００２１】
（第３の実施形態）
図７から図９は第３の実施形態の追加説明図を示す。図７のステップＳ１、Ｓ２の処理を順次行った後、表示器６が推定待ち時間Ｔｔｈと端子間電圧Ｖｄｃとを交互表示するようにしても良い。すると図８に示すように、表示器６は推定待ち時間Ｔｔｈと端子間電圧Ｖｄｃすなわち測定電圧Ｖａ１とを交互に表示することで、両情報を使用者に知らせることができる。また、図７のステップＳ４及びＳ５に示すようにタイマを用いて所定時間経過したか否かを判定し、図７のステップＳ１〜Ｓ３ａの処理を繰り返し行っても良い。すると、図８に示すように、表示器６は推定待ち時間Ｔｔｈ（例えば１０ｍｉｎ）と端子間電圧Ｖｄｃ（測定電圧Ｖａ１：例えば１５０Ｖ）とを例えば３ｓｅｃ毎に交互に表示し繰り返し表示更新することができる。
【００２２】
表示器６が推定待ち時間Ｔｔｈと端子間電圧Ｖｄｃとの情報を交互に表示する形態を示したが、予め使用者に設定されたパラメータに応じて選択した情報を表示するようにしても良い。また、表示器６が、例えば２行表示可能なＬＣＤを用いている場合などには、図９に示すように、放電までの推定待ち時間Ｔｔｈ、端子間電圧Ｖｄｃの現在値を同時に表示するようにしても良い。この場合、表示器６が、推定待ち時間Ｔｔｈを「放電まで：１０ｍｉｎ」と表示し、端子間電圧Ｖｄｃを「直流電圧：１５０Ｖ」と表示することで、使用者に理解し易く知らせることができる。
【００２３】
（第４の実施形態）
図１０から図１５は第４の実施形態の追加説明図を示す。制御回路５のＡ／Ｄ変換器９は通常動作中において主回路コンデンサＣの端子間電圧Ｖｄｃを読取り、演算部１０は、この端子間電圧Ｖｄｃが前述の通常動作電圧より低く予め設定された電源遮断判定電圧Ｖａ（例えば５２０Ｖ）以下となったか否かを判定する。そして端子間電圧Ｖｄｃが電源遮断判定電圧Ｖａ以下となったときに電源遮断したことを判定できる。
【００２４】
この電源遮断の判断タイミング以降において、図１０に示すように、Ａ／Ｄ変換器９は時刻Ｔ１において主回路コンデンサＣの端子間電圧Ｖｄｃを電圧Ｖ１として読取る（図１０のＳ１ａ）。またその後、Ａ／Ｄ変換器９は時刻Ｔ２において主回路コンデンサＣの端子間電圧Ｖｄｃを電圧Ｖ２として読取る（図１０のＳ１ｂ）。この端子間電圧Ｖｄｃの読取時間間隔は例えば１０ｓｅｃ程度以下とすることが望ましい。そして、演算部１０は、これらの複数の時刻Ｔ１、Ｔ２、及び、当該複数の時刻Ｔ１、Ｔ２に対応して測定された電圧値Ｖ１、Ｖ２に応じて放電時定数τａを算出する（図１０のＳ２ａ）。このとき演算部１０は放電時定数τａを下記の（２）式に応じて算出すると良い。
【００２５】
τａ＝（Ｔ２−Ｔ１）／｛ｌｎ（Ｖ１／Ｖ２）｝  …（２）
演算部１０が放電時定数τａを算出したときには、この算出された放電時定数τａを不揮発性のメモリ１１に順次記憶又は順次更新することが望ましい。その後、演算部１０は、この算出された放電時定数τａに応じて推定待ち時間Ｔｔｈを算出する（図１０のＳ２ｂ）。このとき演算部１０は、推定待ち時間Ｔｔｈを下記の（３）式に応じて算出すると良い。
【００２６】
Ｔｔｈ  ＝  τａ  ・  ｛ｌｎ（Ｖ２／Ｖｔｈ）｝  …（３）
演算部１０は推定待ち時間Ｔｔｈを算出すると、表示器６はこの算出された推定待ち時間Ｔｔｈを表示する。このような処理は、使用者によりスイッチ３がオン／オフされ電源遮断される度に繰り返される。このため、電源遮断される度に放電時定数τａを補正、更新することができ、より実用に適した放電時定数τａに更新できる。これにより、たとえ主回路コンデンサＣが経年劣化し、その容量値が経年変化したとしても、この経年変化に対応する容量値に応じた放電時定数τａを設定できるようになる。
【００２７】
図１１に示すように、時刻Ｔ０（＝５０ｓｅｃ）においてスイッチ３がオフされることにより電源遮断されると、演算部１０は、時刻Ｔ１（＝６０ｓｅｃ）において電源遮断を判断して電圧Ｖ１（＝４８０Ｖ）を測定し、その後、時刻Ｔ２（＝７０ｓｅｃ）において電圧Ｖ２（＝４１５Ｖ）を測定し、その後、演算部１０はステップＳ２ａにおいて（２）式に応じて放電時定数τａ（＝６８．７ｓｅｃ）を算出する。そして、ステップＳ２ｂにおいて（３）式に応じて推定待ち時間Ｔｔｈ（＝１４５ｓｅｃ）を算出でき、表示器６はこの推定待ち時間Ｔｔｈを表示する。図１２はこのときの表示態様例を示している。これにより、使用者は時刻Ｔ２（＝７０ｓｅｃ）の時点から「１４５ｓｅｃ」待機すれば良いということを明確に理解できる。また、第２又は第３の実施形態に示したように、制御回路５は、タイマを用いて所定時間毎に推定待ち時間Ｔｔｈを算出し、表示器６が推定待ち時間Ｔｔｈを表示更新するようにしても良い。
【００２８】
（第４実施形態の変形例その１）
図１１に示すように、時刻Ｔ０から電源遮断を判断する時刻Ｔ１までの期間をＴｘ０、時刻Ｔ１から時刻Ｔ２までの期間をＴｘ１、時刻Ｔ２から端子間電圧Ｖｄｃが電圧Ｖｔｈに達するまでの期間をＴｘ２、とすれば、期間Ｔｘ２中に推定待ち時間Ｔｔｈを表示、又は、表示更新することになる。このため、期間Ｔｘ０、Ｔｘ１の間には推定待ち時間Ｔｔｈを表示できないことになるが、期間Ｔｘ１においては、表示器６は、演算部１０からの指令を受けて電源遮断を受け付けたことを示す「ＯＦＦ」を表示するようにしても良い。図１３はこの表示変化態様例を示している。すなわち、表示器６は時刻Ｔ０では無表示とするが、時刻Ｔ１には「ＯＦＦ」を表示し、時刻Ｔ２には算出された推定待ち時間Ｔｔｈを表示する。これにより、制御回路５が内部処理中に認識する情報や主回路コンデンサＣの放電処理中における現在の情報を使用者に通知できる。
【００２９】
（第４実施形態の変形例その２）
また、第４実施形態に第２又は第３実施形態を組み合わせることで以下のように変形することもできる。電源遮断を判断した時刻Ｔ１から時刻Ｔ２にかけて、演算部１０は予めメモリ１１に記憶された初期値となる放電時定数τを用いて（１）式に応じて推定待ち時間Ｔｔｈを算出し、表示器６は、演算部１０からの指令を受けて、期間Ｔｘ１の間、この推定待ち時間Ｔｔｈを表示するようにしても良い。
【００３０】
図１４はこのときの表示態様例を示している。すなわち、表示器６は時刻Ｔ０では無表示とするが、時刻Ｔ１には放電時定数τを用いて算出された推定待ち時間Ｔｔｈ（＝１５４ｓｅｃ）を表示する。その後、演算部１０は時刻Ｔ２の時点で新たに放電時定数τａを算出できるため、演算部１０はこの放電時定数τａを用いて推定待ち時間Ｔｔｈを算出し、表示器６はこの推定待ち時間Ｔｔｈを表示する。
【００３１】
すなわち、メモリ１１が予め定められた放電時定数τを不揮発的に記憶し、演算部１０が、電源遮断後の複数の時刻Ｔ１、Ｔ２に対応して測定された電圧値Ｖ１、Ｖ２に基づき放電時定数τａを算出する場合には、当該放電時定数τａを算出する前に、メモリ１１に記憶された放電時定数τを用いて端子間電圧Ｖｄｃが所定電圧に達するまでの時間を算出し、表示器６はこの時間を表示するようにしている。これにより、制御回路５が内部処理中に認識する情報や主回路コンデンサＣの放電処理中における現在の情報を使用者に通知でき、使用者に対して有益な情報を通知できる。
【００３２】
また、このような処理は、スイッチ３がオン／オフされる度に繰り返されることになるが、演算部１０が電源遮断時において毎回放電時定数τａを不揮発性のメモリ１１に順次記憶又は順次更新させていれば、前回の電源遮断時に記憶された放電時定数τａを用いて推定待ち時間Ｔｔｈを算出し、表示器６は演算部１０からの指令を受けて、期間Ｔｘ１の間、この推定待ち時間Ｔｔｈを表示することもできる。
【００３３】
図１５はこのときの表示態様例を示している。表示器６は時刻Ｔ０では無表示とするが、時刻Ｔ１には前回算出された放電時定数τａを用いて算出された推定待ち時間Ｔｔｈ（＝１５５ｓｅｃ）を表示する。その後、演算部１０は時刻Ｔ２の時点で新たに放電時定数τａを算出できるため、演算部１０はこの今回算出された放電時定数τａを用いて推定待ち時間Ｔｔｈを算出し、表示器６はこの推定待ち時間Ｔｔｈを表示する。
【００３４】
本実施形態によれば、メモリ１１が前回又はそれ以前に算出された放電時定数τａを不揮発的に記憶し、演算部１０が、電源遮断後の複数の時刻Ｔ１、Ｔ２に対応して測定された電圧値Ｖ１、Ｖ２に基づき放電時定数τａを改めて算出する場合には、当該放電時定数τａを算出する前に、メモリ１１に記憶された放電時定数τａを用いて端子間電圧Ｖｄｃが所定電圧Ｖｔｈに達するまでの時間を算出し、表示器６はこの時間を表示するようにしている。これにより、使用者に対して有益な情報を通知できる。
【００３５】
（第５の実施形態）
図１６から図１７は第５の実施形態の追加説明図を示す。図１６に示すように、第４の実施形態と同様に、演算部１０は、図１６のＳ１ａ、Ｓ１ｂにてＡ／Ｄ変換部９を用いて時刻Ｔ１、Ｔ２における端子間電圧Ｖｄｃを電圧Ｖ１、Ｖ２として読取り、演算部１０は、図１６のＳ２ａにてこれらの時刻Ｔ１、Ｔ２、電圧Ｖ１、Ｖ２を用いて放電時定数τａを算出する。ここで演算部１０は、この算出された放電時定数τａが予め定められた放電時定数の閾値τＬ以上であるときには（図１６のＳ６：ＮＯ）、健全であると判断し、第４実施形態と同様に、図１６のＳ２ｂにおいて推定待ち時間Ｔｔｈを算出し、Ｓ３において推定待ち時間Ｔｔｈを表示する。
【００３６】
しかし演算部１０は、この算出された放電時定数τａが閾値τＬよりも小さくなった（図１６のＳ６でＹＥＳ）ときに異常と判断する。この閾値τＬは異常値として予め定められる値であり、放電時定数の初期値τよりも大幅に小さな値に設定されている。したがって、演算部１０は、放電時定数τａが閾値τＬよりも小さくなったときに異常を生じたことを即座に判定できる。この場合、表示器６が、演算部１０から指令を受けて主回路コンデンサＣが異常である旨を表示する（図１６のＳ７）。図１７はこのときの表示態様例を示している。図１７に示すように、表示器６は「ＣａｐＥｒ」と表示することで主回路コンデンサＣが異常であることを通知できる。
【００３７】
（第６の実施形態）
図１８及び図１９は第６の実施形態の追加説明図を示す。本実施形態では、図１８及び図１９に示すように、第２又は第３の実施形態の処理を組み合わせて、推定待ち時間Ｔｔｈ、端子間電圧Ｖｄｃ、主回路コンデンサＣのステータスを表示する形態を示す。
【００３８】
第５の実施形態と同様に、演算部１０は、ステップＳ６において放電時定数τａと閾値τＬとを比較することで、主回路コンデンサＣが健全であるか異常であるかを判断するが、本実施形態では、ステップＳ６でＮＯと判断したときには、主回路コンデンサＣのステータスが健全である旨をメモリ１１に記憶し（Ｓ８）、ステップＳ６でＹＥＳと判断したときには、主回路コンデンサＣのステータスを異常である旨をメモリ１１に記憶する（Ｓ７ａ）。
【００３９】
そして演算部１０は、ステップＳ２ｂにおいて推定待ち時間Ｔｔｈを算出し、ステップＳ３ａにおいてこの推定待ち時間Ｔｔｈと共に主回路コンデンサＣの端子間電圧Ｖｄｃを直流電圧として表示器６に表示させ、さらに、主回路コンデンサＣのコンデンサステータス「健全」を表示器６に表示させる。
【００４０】
図１９は、図１８のステップＳ３ａの処理時における表示態様例を示している。図１９に示すように、表示器６が、放電までの時間（例えば１０ｍｉｎ）及び端子間電圧Ｖｄｃを直流電圧として表示し、コンデンサステータスも表示する。
【００４１】
そして演算部１０は、図１８のステップＳ４及びＳ５に示すようにタイマを用いて所定時間経過したか否かを判定し、所定時間経過したときにステップＳ５においてＹＥＳと判定し、ステップＳ１ｃにて端子間電圧Ｖｄｃを電圧Ｖ２として読取り、ステップＳ２ａに処理を戻す。演算部１０は、ステップＳ２ａにて放電時定数τａを再度算出し、ステップＳ６において放電時定数τａが閾値τＬよりも小さいか否かを判断する。これは、１回だけの算出処理ではステップＳ６の判断が不安定となることを避けるためであり、複数回繰り返すことで安定的に判断できるようになる。これらの図１８のステップＳ２ａ〜Ｓ１ｃの処理は繰り返されるが、これによりステップＳ３ａの処理も繰り返されることになり、推定待ち時間Ｔｔｈ、主回路コンデンサＣの端子間電圧Ｖｄｃ、及び、コンデンサステータスを繰り返し表示更新できる。
【００４２】
表示器６が、放電までの時間（例えば１０ｍｉｎ）及び端子間電圧Ｖｄｃを直流電圧として繰り返し表示更新するようになるため、配線や端子台等に接触して作業しても安全上問題のない時間を作業者に逐次知らせることができる。また、コンデンサステータスを作業者に逐次知らせることができる。
【００４３】
また演算部１０は、ステップＳ２ａにおいて放電時定数τａを放電中に逐次算出し直しているため、ステップＳ６の判断処理を行うことで、コンデンサステータスが健全であるか異常であるかを逐次判定でき、ステップＳ３ａにてこの結果を表示できる。すなわち、図１９に示すように、放電開始当初はコンデンサステータスが健全であっても放電途中に異常となることもある。このような場合、表示器６が「コンデンサステータス：異常」である旨を表示するようになるため、主回路コンデンサＣの点検を使用者に促すことができる。
【００４４】
このような処理は、制御回路５、表示器６に正常動作可能な電圧が供給されている間に繰り返されることになる。このため、主回路コンデンサＣの放電途中にコンデンサステータスを作業者に知らせることができる。
【００４５】
（他の実施形態）
前述した実施形態に限定されるものではなく、例えば、以下に示す変形又は拡張が可能である。
【００４６】
放電時定数τａを２つの時刻Ｔ１、Ｔ２の電圧Ｖ１、Ｖ２に基づいて算出する形態を示したが、３以上の複数の時刻における３以上の複数の電圧に基づいて算出する形態に適用しても良い。
【００４７】
電源遮断後に測定された複数の電圧値に基づいて放電時定数を算出し、この放電時定数に応じて予め設定された所定電圧に達するまでの時間を算出すれば良い。
本発明のいくつかの実施形態を説明したが、各実施形態１〜６に示した構成、条件に限定されることはなく、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
図面中、１はインバータ装置、２は三相交流電源、４は電源整流回路、５は制御回路（演算部）、６は表示器（表示部）、７はインバータ主回路、１０は演算部、Ｃは主回路コンデンサ、１１はメモリ（記憶部）、Ｎ１、Ｎ２は主電源線、τ、τａは放電時定数を示す。
【図１】
2018050395.tif 000003
【図２】
2018050395.tif 000004
【図３】
2018050395.tif 000005
【図４】
2018050395.tif 000006
【図５】
2018050395.tif 000007
【図６】
2018050395.tif 000008
【図７】
2018050395.tif 000009
【図８】
2018050395.tif 000010
【図９】
2018050395.tif 000011
【図１０】
2018050395.tif 000012
【図１１】
2018050395.tif 000013
【図１２】
2018050395.tif 000014
【図１３】
2018050395.tif 000015
【図１４】
2018050395.tif 000016
【図１５】
2018050395.tif 000017
【図１６】
2018050395.tif 000018
【図１７】
2018050395.tif 000019
【図１８】
2018050395.tif 000020
【図１９】
2018050395.tif 000021